(57)【要約】  サイドフレームの下端部を連結フレームによって連結する構成において、特に、サイドフレームの内倒れが抑制される程度に剛性を向上させる。  シートバックフレームＦ１の幅方向両端部に配置されたサイドフレーム１１と、サイドフレーム１１のうち、シートクッションＳ２に取り付けられる下端部同士を連結する下部メンバフレーム３１と、を有する車両用シートＳのシートフレームＦにおいて、各サイドフレーム１１には、幅方向外側に位置して上下方向に延出している側壁１２と、側壁１２から幅方向内側に向かって延出した後壁１３と、が設けられており、下部メンバフレーム３１には、幅方向に沿って延出している第１延出部３２と、第１延出部３２の幅方向両端から前方に向かって延出した第２延出部３３と、が設けられている。そして、第２延出部３３は、幅方向において側壁１２よりも内側に位置して側壁１２と重ね合わされている。
2014033929.tif 000002
【特許請求の範囲】
【請求項１】
車両用シートのシートバックが備えるシートバックフレームにおいて前記車両用シートの幅方向の両端部に配置されたサイドフレームと、
前記サイドフレームのうち、前記車両用シートのシートクッションに取り付けられる下端部同士を連結する連結フレームと、を有し、
前記サイドフレームの各々には、
前記サイドフレームにおいて前記幅方向の外側に位置して上下方向に延出している側壁と、
該側壁から前記幅方向の内側に向かって延出した後壁と、が設けられ、
前記連結フレームには、前記幅方向に沿って延出している第１延出部と、該第１延出部の前記幅方向の両端から前方に向かって延出した第２延出部と、が設けられ、
該第２延出部は、前記幅方向において前記側壁よりも内側に位置して前記側壁と重ね合わされていることを特徴とする車両用シートのシートフレーム。
【請求項２】
前記シートクッションに対して前記シートバックを揺動させるリクライニング機構を有し、
該リクライニング機構は、前記側壁の側面のうち、前記幅方向において外側に位置する外側面に取り付けられ、
前記第２延出部は、前記側壁の側面のうち、前記幅方向において前記外側面の裏側に位置する内側面に当接しており、
前記側壁において前記第２延出部が前記内側面に当接している領域は、前記リクライニング機構が前記外側面に取り付けられている領域から外れていることを特徴とする請求項１に記載の車両用シートのシートフレーム。
【請求項３】
前記側壁において前記リクライニング機構が前記外側面に取り付けられている領域は、前記幅方向から見て円形の領域となっており、
前記第２延出部のうちの少なくとも一部は、前記円形の領域の外縁に沿って円弧状に延出していることを特徴とする請求項２に記載の車両用シートのシートフレーム。
【請求項４】
前記リクライニング機構により前記シートバックが前記シートクッションに対して揺動する際の揺動軸が、前記幅方向において前記側壁を貫通した状態で設けられており、
前記第２延出部のうちの少なくとも一部は、前記揺動軸の後方から前記揺動軸の前方に回り込むように円弧状に延出していることを特徴とする請求項３に記載の車両用シートのシートフレーム。
【請求項５】
前記側壁の下端部には、前記幅方向の内側に折れ曲がった側壁側折れ曲がり部が形成され、
前記第２延出部の下端部には、前記幅方向の内側に折れ曲った第２延出部側折れ曲がり部が形成され、
前記第２延出部のうちの少なくとも一部は、前記第２延出部側折れ曲がり部が前記側壁側折れ曲がり部に沿い、かつ、前記第２延出部側折れ曲がり部の一部が前記側壁側折れ曲がり部と重なるように延出していることを特徴とする請求項３または４に記載の車両用シートのシートフレーム。
【請求項６】
前記側壁において前記第２延出部が前記内側面に当接している領域のうちの少なくとも一部は、前記リクライニング機構が前記外側面に取り付けられている領域よりも上方に位置し、
前記第２延出部の上端部には、前記幅方向の内側に折れ曲がった折れ曲がり部が形成されていることを特徴とする請求項２乃至５のいずれか一項に記載の車両用シートのシートフレーム。
【請求項７】
前記側壁において前記リクライニング機構が前記外側面に取り付けられている領域は、前記幅方向から見て円形の領域となっており、
前記側壁において前記第２延出部が前記内側面に当接している領域は、前記幅方向から見て前記円形の領域の外縁に沿っているＣ字状の領域となっており、
前記第２延出部は、前記円形の領域より上方に配置された上方部と、前記円形の領域より下方に配置された下方部と、を有することを特徴とする請求項２乃至６のいずれか一項に記載の車両用シートのシートフレーム。
【請求項８】
前記リクライニング機構により前記シートバックが前記シートクッションに対して揺動する際の揺動軸が、前記幅方向において前記側壁の間を貫通した状態で設けられており、
前記上方部及び前記下方部は、それぞれ、前記側壁に溶接されており、
前記上方部と前記側壁との溶接領域は、該溶接領域の少なくとも一部が前記揺動軸よりも前方に位置するように前記車両用シートの前後方向に沿って延びており、
前記下方部と前記側壁との溶接領域は、該溶接領域の少なくとも一部が前記揺動軸よりも後方に位置するように前記前後方向に沿って延びていることを特徴とする請求項７に記載の車両用シートのシートフレーム。
【請求項９】
後部座席の前に配置された前部座席である前記車両用シートに備えられた前記連結フレームにおいて、前記第１延出部の前記幅方向における中央部では前記幅方向における両端部に比して、前記第１延出部の下端が上方に位置していることを特徴とする請求項１乃至８のいずれか一項に記載の車両用シートのシートフレーム。
【発明の詳細な説明】
【技術分野】
【０００１】
本発明は、車両用シートのシートフレームに係り、特に、シートバックフレームの左右両端部に配置されたサイドフレームと、サイドフレームの下端部同士を連結する連結フレームとを有する車両用シートのシートフレームに関する。
【背景技術】
【０００２】
車両用シートのシートフレームにおいて、シートバックの骨格をなすシートバックフレームの両端部にはサイドフレームが配置されており、サイドフレームの下端部同士は、通常、連結フレームによって連結されている。
また、従来のサイドフレームの中には、サイドフレームの上側部分と下側部分が別部材となっており、両部分が溶接等にて接合されることによって構成されているものがあった。このように２部品からなるサイドフレームに対して、連結フレームは、下側部分をなす部材同士を連結するように設けられていた（例えば、特許文献１参照）。【０００３】
一方、シートフレームを組み立てる際に溶接を利用する場合には、シートフレームの構成部品数が少ないほど、溶接回数が少なくなるのでフレーム組み立ての作業性から考えて好適である。このため、特許文献２に記載の車両用シートでは、左右に配置されたサイドフレームの各々を一部材により構成し、各サイドフレームの下端部に連結フレームであるロアフレームを溶接することでサイドフレーム間を連結している。【０００４】
ここで、特許文献２に記載の車両用シートにおけるフレーム構造について説明すると、ロアフレームは、直線状に延出した板金部材からなり、ロアフレームの延出方向の両端部が、サイドフレームの後面縁からシート内側に向かって延びた後面フランジに溶接されている。これにより、サイドフレーム同士がロアフレームによって連結される結果、各サイドフレームの剛性、特に、各サイドフレームの下端部の剛性が確保されるようになる。
【先行技術文献】
【特許文献】
【０００５】
【特許文献１】特開２００８−２０１２１６号公報
【特許文献２】特開２０１２−１２６２４５号公報
【発明の概要】
【発明が解決しようとする課題】
【０００６】
ところで、各サイドフレームの剛性については更なる向上が求められており、中でも、サイドフレームをシート内側に倒すような荷重に対する剛性を確保する必要がある。すなわち、サイドフレームの下端部を連結フレームによって連結して剛性を向上させる場合には、サイドフレームの内倒れが抑制される程度の剛性が確保されるように連結フレームを取り付けることが求められる。【０００７】
さらに、連結フレームをサイドフレームに取り付ける際には、その取り付け位置周辺にある部材との干渉を回避しつつ、より一層剛性が向上するように連結フレームを取り付けることが望まれる。【０００８】
また、連結フレームを溶接にてサイドフレームに取り付ける場合には、溶接作業が容易に行われるように連結フレームとサイドフレームとの溶接領域を設定することが望まれる。【０００９】
そこで、本発明は、上記の問題に鑑みてなされたものであり、その目的は、サイドフレームの下端部を連結フレームによって連結する構成において、特に、サイドフレームの内倒れが抑制される程度に剛性を向上させることが可能な構造を実現した車両用シートのシートフレームを提供することである。
また、本発明の他の目的は、連結フレームをサイドフレームに取り付けるにあたって取り付け位置周辺にある部材との干渉を回避しつつ、より一層剛性を向上させることが可能な構造を実現した車両用シートのシートフレームを提供することである。
また、本発明の他の目的は、連結フレームを溶接にてサイドフレームに取り付ける構成において、溶接作業が容易に行われるように連結フレームとサイドフレームとの溶接領域が設定された車両用シートのシートフレームを提供することである。
【課題を解決するための手段】
【００１０】
前記課題は、本発明の車両用シートのシートフレームによれば、車両用シートのシートバックが備えるシートバックフレームにおいて前記車両用シートの幅方向の両端部に配置されたサイドフレームと、前記サイドフレームのうち、前記車両用シートのシートクッションに取り付けられる下端部同士を連結する連結フレームと、を有し、前記サイドフレームの各々には、前記サイドフレームにおいて前記幅方向の外側に位置して上下方向に延出している側壁と、該側壁から前記幅方向の内側に向かって延出した後壁と、が設けられ、前記連結フレームには、前記幅方向に沿って延出している第１延出部と、該第１延出部の前記幅方向の両端から前方に向かって延出した第２延出部と、が設けられ、該第２延出部は、前記幅方向において前記側壁よりも内側に位置して前記側壁と重ね合わされていることにより解決される。【００１１】
上記の車両用シートのシートフレームでは、連結フレームが各サイドフレームに取り付けられると、連結フレームの一部分である第２延出部が、サイドフレームの側壁の内側に当該側壁と重ね合された状態で配置される。このような構成により、サイドフレームの側壁の剛性、特に車両用シートの幅方向に作用する荷重に対する剛性が向上し、サイドフレームの内倒れが抑制される。すなわち、上記の車両用シートのシートフレームであれば、サイドフレームの内倒れが抑制される程度に剛性を向上させることが可能となる。【００１２】
また、上記の車両用シートのシートフレームにおいて、前記シートクッションに対して前記シートバックを揺動させるリクライニング機構を有し、該リクライニング機構は、前記側壁の側面のうち、前記幅方向において外側に位置する外側面に取り付けられ、前記第２延出部は、前記側壁の側面のうち、前記幅方向において前記外側面の裏側に位置する内側面に当接しており、前記側壁において前記第２延出部が前記内側面に当接している領域は、前記リクライニング機構が前記外側面に取り付けられている領域から外れていると、好適である。
サイドフレームの側壁においてリクライニング機構が取り付けられている部分の内側面は、リクライニング機構を取り付けるための溶接痕等が存在するので、若干の凹凸が形成されている。ここで、上記の構成であれば、サイドフレームの側壁の内側面において、溶接によって凹凸が形成された部分を避けて連結フレームを取り付けるため、連結フレームを良好に取り付けることが可能となる。【００１３】
また、上記の車両用シートのシートフレームにおいて、前記側壁において前記リクライニング機構が前記外側面に取り付けられている領域は、前記幅方向から見て円形の領域となっており、前記第２延出部のうちの少なくとも一部は、前記円形の領域の外縁に沿って円弧状に延出していると、好適である。
上記の構成であれば、サイドフレームの側壁においてリクライニング機構が取り付けられている部分を避けて連結フレームを取り付ける作業が容易に行われるようになる。【００１４】
また、上記の車両用シートのシートフレームにおいて、前記リクライニング機構により前記シートバックが前記シートクッションに対して揺動する際の揺動軸が、前記幅方向において前記側壁を貫通した状態で設けられており、前記第２延出部のうちの少なくとも一部は、前記揺動軸の後方から前記揺動軸の前方に回り込むように円弧状に延出していると、より好適である。
上記の構成であれば、サイドフレームの側壁においてリクライニング機構が取り付けられている部分を避けて連結フレームを取り付けるとき、シートバックがシートクッションに対して揺動する際の揺動軸との干渉を回避した状態で、連結フレームをサイドフレームの側壁に取り付けることが可能となる。
また、連結フレームが、揺動軸の後方から揺動軸の前方に回り込むように円弧状に延出しているため、サイドフレームの側壁のうち、連結フレームと重なり合った領域が前後方向に幾分長くなる。これにより、サイドフレームの側壁のうち、連結フレームを取り付けることによって剛性が向上した部分が、車両用シートの前後方向に沿って延びるように設けられる。この結果、車両用シートの幅に作用する荷重に対するサイドフレームの剛性が一層向上することになる。【００１５】
また、上記の車両用シートのシートフレームにおいて、前記側壁の下端部には、前記幅方向の内側に折れ曲がった側壁側折れ曲がり部が形成され、前記第２延出部の下端部には、前記幅方向の内側に折れ曲った第２延出部側折れ曲がり部が形成され、前記第２延出部のうちの少なくとも一部は、前記第２延出部側折れ曲がり部が前記側壁側折れ曲がり部に沿い、かつ、前記第２延出部側折れ曲がり部の一部が前記側壁側折れ曲がり部と重なるように延出していると、さらに好適である。
上記の構成であれば、サイドフレームの側壁の下端部と連結フレームとの一体化が強められる結果、サイドフレームの側壁の下端部における剛性がより一層向上することになる。【００１６】
また、上記の車両用シートのシートフレームにおいて、前記側壁において前記第２延出部が前記内側面に当接している領域のうちの少なくとも一部は、前記リクライニング機構が前記外側面に取り付けられている領域よりも上方に位置し、前記第２延出部の上端部には、前記幅方向の内側に折れ曲がった折れ曲がり部が形成されていることとしてもよい。
上記の構成であれば、サイドフレームの側壁においてリクライニング機構が取り付けられている部分を避けて連結フレームを取り付けることが可能となるとともに、連結フレーム自体の剛性が高まるのでサイドフレームの剛性が向上することになる。【００１７】
また、上記の車両用シートのシートフレームにおいて、前記側壁において前記リクライニング機構が前記外側面に取り付けられている領域は、前記幅方向から見て円形の領域となっており、前記側壁において前記第２延出部が前記内側面に当接している領域は、前記幅方向から見て前記円形の領域の外縁に沿っているＣ字状の領域となっており、前記第２延出部は、前記円形の領域より上方に配置された上方部と、前記円形の領域より下方に配置された下方部と、を有すると、好適である。
上記の構成であれば、サイドフレームの側壁においてリクライニング機構が取り付けられている部分を避けつつ、より一層剛性が向上するように、連結フレームをサイドフレームに取り付けることが可能になる。【００１８】
また、上記の車両用シートのシートフレームにおいて、前記リクライニング機構により前記シートバックが前記シートクッションに対して揺動する際の揺動軸が、前記幅方向において前記側壁の間を貫通した状態で設けられており、前記上方部及び前記下方部は、それぞれ、前記側壁に溶接されており、前記上方部と前記側壁との溶接領域は、該溶接領域の少なくとも一部が前記揺動軸よりも前方に位置するように前記車両用シートの前後方向に沿って延びており、前記下方部と前記側壁との溶接領域は、該溶接領域の少なくとも一部が前記揺動軸よりも後方に位置するように前記前後方向に沿って延びていると、より好適である。
上記の構成であれば、連結フレームにおける第２延出部の上方部及び下方部の各々を、サイドフレームの側壁に対して良好に固定することができる。さらに、各溶接領域が車両用シートの前後方向に延びているので、前後方向に作用する荷重に対する強度を確保することが可能となり、第２延出部の上方部及び下方部の各々がサイドフレームの側壁に固定された状態を安定的に保持することが可能となる。【００１９】
また、上記の車両用シートのシートフレームにおいて、後部座席の前に配置された前部座席である前記車両用シートに備えられた前記連結フレームにおいて、前記第１延出部の前記幅方向における中央部では前記幅方向における両端部に比して、前記第１延出部の下端が上方に位置していることとしてもよい。
前部座席において連結フレームの下方に位置する空間には、後部座席の乗員の脚が入ることがある。このとき、連結フレームのうち、乗員の脚の上方に位置する第１延出部において、延出方向中央部の下端が、延出方向端部の下端より上方に位置していれば、乗員の脚と連結フレームが干渉してしまうのを抑制することが可能となる。
【発明の効果】
【００２０】
本発明の請求項１に記載の車両用シートのシートフレームによれば、連結フレームの第２延出部がサイドフレームの側壁の内側に当該側壁と重ね合された状態で配置されるため、車両用シートの幅方向に作用する荷重に対するサイドフレームの剛性が向上し、サイドフレームの内倒れが抑制される。
本発明の請求項２に記載の車両用シートのシートフレームによれば、サイドフレームの側壁においてリクライニング機構が取り付けられている部分の内側面には若干の凹凸が形成されており、当該部分を避けて連結フレームを取り付けることで、連結フレームを良好に取り付けることが可能となる。
本発明の請求項３に記載の車両用シートのシートフレームによれば、サイドフレームの側壁においてリクライニング機構が取り付けられている部分を避けて連結フレームを取り付ける作業が容易に行われるようになる。
本発明の請求項４に記載の車両用シートのシートフレームによれば、揺動軸との干渉を回避した状態で、連結フレームをサイドフレームの側壁に取り付けることが可能となる。さらに、サイドフレームの側壁のうち、連結フレームを取り付けることによって剛性が向上した部分が、車両用シートの前後方向に沿って延びているので、車両用シートの幅方向に作用する荷重に対するサイドフレームの剛性が一層向上する。
本発明の請求項５に記載の車両用シートのシートフレームによれば、サイドフレームの側壁の下端部と連結フレームとの一体化が強められる結果、サイドフレームの側壁の下端部における剛性がより一層向上する。
本発明の請求項６に記載の車両用シートのシートフレームによれば、サイドフレームの側壁においてリクライニング機構が取り付けられている部分を避けて連結フレームを取り付けることが可能となるとともに、連結フレーム自体の剛性が高まるのでサイドフレームの剛性が向上する。
本発明の請求項７に記載の車両用シートのシートフレームによれば、サイドフレームの側壁においてリクライニング機構が取り付けられている部分を避けつつ、より一層剛性が向上するように、連結フレームをサイドフレームに取り付けることが可能になる。
本発明の請求項８に記載の車両用シートのシートフレームによれば、連結フレームをサイドフレームの側壁に対して良好に固定することができるとともに、前後方向に作用する荷重に対する強度が確保されるので、連結フレームがサイドフレームの側壁に溶接された状態を安定的に保持することが可能となる。
本発明の請求項９に記載の車両用シートのシートフレームによれば、前部座席において連結フレームの下方に位置する空間に入る後部座席の乗員の脚と連結フレームが干渉してしまうのを抑制することが可能となる。
【図面の簡単な説明】
【００２１】
【図１】本発明の一実施形態に係る車両用シートの外観を示す模式側面図である。
【図２】本発明の一実施形態に係る車両用シートのシートフレームの全体像を示す斜視図である。
【図３】本発明の一実施形態に係る車両用シートのシートフレームを背面から見たときの図である。
【図４】シートフレームのうち、サイドフレーム周りの分解図である。
【図５】サイドフレーム、連結フレーム及びリクライニング機構の位置関係を示す図である。
【図６】サイドフレームと連結フレームとの接合状態を示す斜視図である。
【図７】サイドフレームと連結フレームとの溶接個所についての説明図である。
【図８】サイドフレームの構造を示す断面図であり、図３中のＡ−Ａ断面を示す図である。
【図９】サイドフレームに取り付けられた状態の連結フレームを示す断面図であり、図３中のＢ−Ｂ断面を示す図である。
【発明を実施するための形態】
【００２２】
以下、本発明に係る車両用シートのシートフレームについて、図１乃至９を参照しながら説明する。なお、説明の便宜上、図２では後述のハイト調整機構４やスライドレール機構Ｒの図示を省略している。
【００２３】
以下の説明において、前後方向とは、車両の進行方向に一致する方向のことである。また、幅方向とは、車両の横幅に沿う方向、より具体的には左右方向のことであり本発明の車両用シートの幅方向に相当する。また、上下方向とは、車両用シートの上下方向のことである。なお、以下の説明では、特に断る場合を除き、シート各部の位置や姿勢を通常時、すなわち乗員が着座している状態にあるときの内容にて説明することとする。
【００２４】
先ず、本発明の一実施形態に係る車両用シート及びシートフレーム（以下、本シートＳ及び本フレームＦ）について基本構成を説明する。
本シートＳは、基本構造の面では、公知の車両用シートと略同様であり、本実施形態では特に、後部座席の前に配置された前部座席として利用されるものである。但し、これに限定されるものではなく、本発明は、後部座席である車両用シートのシートフレームにも適用可能である。
【００２５】
より具体的に説明すると、本シートＳは、図１に示すように、シートバックＳ１、シートクッションＳ２及びヘッドレストＳ３を主たる構成要素として有している。一方、本シートＳの骨格をなす本フレームＦは、図２に示すように、シートバックＳ１が備えるシートバックフレームＦ１と、シートクッションＳ２が備えるシートクッションフレームＦ２とを備える。また、シートバックフレームＦ１の上部には、ヘッドレストＳ３の下部から延出したピラーＳ３ａが差し込まれることでヘッドレストＳ３本体を支持するガイドステーｆｓが固定されている。
【００２６】
また、本フレームＦのうち、大部分は金属部材によって構成されている。組み立てられたシートバックフレームＦ１及びシートクッションフレームＦ２は、図２に示すように、それぞれ、矩形の枠型をなすように構築される。
【００２７】
そして、シートクッションフレームＦ２の幅方向両端に備えられた側部フレーム１の後端部に、シートバックフレームＦ１の幅方向両端に備えられたサイドフレーム１１の下端部が組み付けられている。本フレームＦでは、サイドフレーム１１の下端部が、図４に図示されたリクライニング機構３を介して側部フレーム１の後端部に組み付けられている。
【００２８】
リクライニング機構３は、乗員が不図示の操作部を操作することにより作動し、シートクッションＳ２に対してシートバックＳ１を前方または後方に倒れるように揺動させるものである。本シートＳでは、リクライニング機構３が、左右一対設けられたサイドフレーム１１の各々に対して個別に設けられ、各サイドフレーム１１の外側面１２ａの下部に取り付けられている。また、リクライニング機構３は、サイドフレーム１１に溶接された側とは反対側の面で、側部フレーム１の内壁面の後端部に溶接されている。
【００２９】
各リクライニング機構３の構造は、公知の構造であり、リクライニング機構本体３ａと、リクライニング機構本体３ａを貫通した状態で幅方向に延びた貫通軸３ｂとを備える。そして、貫通軸３ｂが回転することで、本体内部に設けられた不図示の駆動機構が作動する。この駆動機構の作動により、リクライニング機構本体３ａのうち、サイドフレーム１１側に接合されている部分が、その反対側の部分、具体的にはシートクッションフレームＦ２の側部フレーム１側に接合されている部分に対して貫通軸３ｂ周りに相対回動する。これにより、サイドフレーム１１がシートクッションＳ２に対して貫通軸３ｂ周りに相対回動するようになる。つまり、シートバックＳ１がシートクッションＳ２に対して貫通軸３ｂ周りに揺動するようになる。
【００３０】
ここで、貫通軸３ｂは、リクライニング機構３を駆動させるために回転する回転軸であるとともに、リクライニング機構３によりシートバックＳ１がシートクッションＳ２に対して揺動する際の揺動軸でもある。なお、本シートＳにおいて、貫通軸３ｂは、一方のサイドフレーム１１に取り付けられたリクライニング機構３と、他方のサイドフレーム１１に取り付けられたリクライニング機構３との間で共有の軸となっている。すなわち、貫通軸３ｂは、一方のサイドフレーム１１の側壁１２を貫通して、幅方向に沿って他方のサイドフレーム１１に向かい、同サイドフレーム１１の側壁１２を更に貫通している。
【００３１】
そして、図５に示すように、貫通軸３ｂの両端部の各々は、対応するリクライニング機構本体３ａを貫通し、さらにまた、リクライニング機構本体３ａの脇に位置するシートクッションフレームＦ２の側部フレーム１まで貫通している。つまり、本シートＳにおいて、貫通軸３ｂは、幅方向においてサイドフレーム１１の側壁１２及び側部フレーム１を貫通した状態で回転自在に設けられている。
なお、貫通軸３ｂの回転は、乗員がレバー等の操作部を介して回転させることとしてもよく、アクチュエータ等の駆動装置によって生じる動力で回転させることとしてもよい。
【００３２】
一方、シートクッションＳ２の下方位置には、本シートＳを車体フロアに対して前後方向にスライド移動自在に設置するためのスライドレール機構Ｒが配置されている。そして、本シートＳでは、上下方向においてシートクッションＳ２とスライドレール機構Ｒとの間に、シート高さを調整するためのハイト調整機構４が設けられている。このハイト調整機構４は、図１に図示された操作レバー５を乗員が操作することにより作動する。
【００３３】
具体的に説明すると、ハイト調整機構４は、操作レバー５が操作されることによって発生する駆動力を利用して、シートクッションフレームＦ２とスライドレール機構Ｒとの間を連結している回動リンク６を回動させることでシート高さを調整する。
【００３４】
より詳しく説明すると、回動リンク６は、シートクッションフレームＦ２の前端部及び後端部の各々において幅方向両端に位置するように、計４個設けられている。各回動リンク６の一端部は、スライドレール機構Ｒのうち、アッパレールＲｕに上方へ突出するように設けられた支持部Ｒｘに回動自在に支持されている。また、各回動リンク６の他端部は、シートクッションフレームＦ２の側部フレーム１に回動自在に取り付けられている。
【００３５】
一方、回動リンク６中、幅方向一端側に位置する後方の回動リンク６にはセクターギア７ａが形成されており、セクターギア７ａにはピニオンギア７ｂが噛み合っている。このピニオンギア７ｂは、不図示の連結軸によって操作レバー５と連結されている。これにより、操作レバー５が操作されると、上記の連結軸と一体的にピニオンギア７ｂが回転し、ピニオンギア７ｂとセクターギア７ａとの噛み合い位置が変化するようになる。これに伴い、セクターギア７ａが形成された回動リンク６が回動し、当該回動リンク６に従動する形で他の回動リンク６も回動するようになる。この結果、シートクッションＳ２を含むシート本体が昇降し、シート高さが調整されることになる。
【００３６】
次に、本フレームＦのうち、シートバックフレームＦ１について詳細に説明する。
シートバックフレームＦ１は、図２及び３に示すように、幅方向の両端部に配置されたサイドフレーム１１と、サイドフレーム１１の上端部同士を連結する上部フレーム２１と、サイドフレーム１１の下端部同士を連結する連絡フレームとしての下部メンバフレーム３１とを有する。
【００３７】
上部フレーム２１は、図２及び３に示すように、シートバックフレームＦ１の上端部をなす部分である。上部フレーム２１は、両端部が下方に向かうように下向きＵ字状に折り曲げ加工された折り曲げ加工部２２と、折り曲げ加工部２２の一端部から他端部に向かって架け渡された上部メンバフレーム２３とによって構成されている。
【００３８】
サイドフレーム１１は、シートバックフレームＦ１の幅方向両端部をなし、上下方向に延出した部分である。本シートＳにおいて、各サイドフレーム１１は、図２に示すように、その上端部が下端部よりも幾分後方に位置するように略弓状に曲がっている。また、本シートＳにおいて、各サイドフレーム１１は、一部材から成形されており、具体的には一枚の板金材を加工することにより成形されている。
【００３９】
各サイドフレーム１１の構造についてより詳細に説明する。なお、幅方向両端部に配置されたサイドフレーム１１は、互いに左右対称の構造となっているため、以下では、一方のサイドフレーム１１の構造のみ説明することとする。
各サイドフレーム１１は、図８に示すように、幅方向外側に位置する側壁１２と、側壁１２の後端から幅方向内側に延出した後壁１３とを有する。側壁１２は、上下方向に略真っ直ぐに延出しており、側方から幅方向に沿って見ると、上端部が上方に向かうほど幅狭となるように尖った形状をなし、中央部が緩やかにカーブした形状をなし、下端部が半楕円状の形状をなしている。
【００４０】
側壁１２には、複数の穴が形成されており、そのうちの一つの穴１２ｃは、側壁１２の下端部に形成されており、同穴には、前述したリクライニング機構３を駆動させるための貫通軸３ｂが挿入される。さらに、残りの穴のうちの一つは、シートバックフレームＦ１の組み立て時、特に、シートバックフレームＦ１を構成する部材同士を組み付ける際にサイドフレーム１１を固定しておくための穴であり、同穴には、組み付け時に不図示の固定用治具が挿入される。
【００４１】
また、側壁１２の側面のうち、幅方向において外側に位置する外側面１２ａには、前述したように、リクライニング機構３が取り付けられている。より具体的に説明すると、本シートＳにおいて、リクライニング機構３は、側壁１２の下端よりも若干上方に位置する部位にレーザー溶接にて取り付けられている。ここで、リクライニング機構３を側壁１２の外側面１２ａにレーザー溶接にて取り付ける際には、側壁１２の側面のうち、幅方向において外側面１２ａの裏側に位置する内側面１２ｂにレーザーを照射する。このため、内側面１２ｂには、溶接痕としての凹凸が形成されることとなる。
【００４２】
なお、本シートＳでは、リクライニング機構３のうち、サイドフレーム１１の側壁１２に接合される部分、より具体的には、リクライニング機構本体３ａの中で側壁１２と対向する部分が円状となっている。したがって、本シートＳでは、各サイドフレーム１１の側壁１２においてリクライニング機構３が外側面１２ａに取り付けられている領域は、図７に示すように、幅方向から見て円形の領域Ｍとなっている。なお、この円形の領域Ｍの中心位置に、前述の貫通軸３ｂが挿入される穴が形成されている。
【００４３】
また、側壁１２の前端部には、図４及び８に示すように、幅方向内側に折れ曲がった側壁側フランジ１４が形成されている。この側壁側フランジ１４は、側壁側折れ曲がり部に相当し、側壁１２を補強するために側壁１２の上端から下端に亘って設けられている。ここで、側壁１２の下端部は、前述したように半楕円形状をなしており、側壁１２の下端部に設けられた側壁側フランジ１４は、側壁１２の下端部の外縁に沿って前方から後方に回り込むように円弧状に形成されている。
【００４４】
後壁１３は、側壁１２と交差した状態で側壁１２の後端部と隣接しており、本シートＳでは、後壁１３と側壁１２との間の角度が約９０度となっている。換言すると、後壁１３の幅方向の外側端部は、側壁１２の後端部とともにサイドフレーム１１の角部をなしている。
【００４５】
また、後壁１３の上端は、側壁１２の上端よりも幾分下がった位置にあり、後壁１３の下端は、側壁１２の下端よりも幾分上がった位置にある。そして、後壁１３の下端部には、図３に示すように、当該部分よりも上方に位置する部分に比して幅方向内側への延出量が大きくなった略台形状のメンバフレーム取り付け部１３ａが形成されている。このメンバフレーム取り付け部１３ａに、後述する下部メンバフレーム３１が取り付けられている。
【００４６】
さらに、後壁１３の幅方向の内側端部には、図４及び８に示すように、前側に折れ曲がった後壁側フランジ１５が形成されている。この後壁側フランジ１５は、後壁１３を補強するために後壁１３の上端から下方に向かって形成されており、前述のメンバフレーム取り付け部１３ａの上端部に亘っている。また、後壁１３のうち、メンバフレーム取り付け部１３ａより下方に位置する領域にも、同様に後壁側フランジ１５が形成されている。一方、メンバフレーム取り付け部１３ａの外縁部のうち、幅方向内側にある部分、及び、下端側にある部分には、下部メンバフレーム３１との干渉を避ける目的からフランジ１５が形成されていない。
【００４７】
なお、図４に示すように、後壁１３の下端部に形成された後壁側フランジ１５は、その幅方向外側端部にて、側壁１２の下端部で後方に回り込むように形成された側壁側フランジ１４と連続している。これにより、サイドフレーム１１全体の剛性がより向上している。
【００４８】
下部メンバフレーム３１は、図２及び図９に示すように、上方から見たときに略Ｕ字状の部材であり、一枚の板金材を加工することにより成形されている。下部メンバフレーム３１は、幅方向に沿って延出している第１延出部３２と、第１延出部３２の幅方向両端から前方に向かって延出した第２延出部３３とを備えている。
【００４９】
第１延出部３２は、幅方向においてサイドフレーム１１間に配置され、サイドフレーム１１中の後壁１３、特に前述したメンバフレーム取り付け部１３ａに取り付けられる部分である。より具体的に説明すると、第１延出部３２の延出方向両端部の各々が、メンバフレーム取り付け部１３ａの前面に当接した状態で、レーザー溶接にてメンバフレーム取り付け部１３ａに取り付けられている。
【００５０】
また、図６に示すように、第１延出部３２の延出方向端部には、メンバフレーム取り付け部１３ａに取り付けられた際にメンバフレーム取り付け部１３ａに形成された貫通孔（不図示）と連通する穴３２ｂが形成されている。この穴３２ｂは、シートバックフレームＦ１を構成する部材同士を組み付ける際に下部メンバフレーム３１を固定しておくための穴であり、同穴３２ｂには、組み付け時に不図示の固定用治具が挿入される。
【００５１】
第１延出部３２の形状についてより詳しく説明すると、図３を見て分かるように、延出方向の中央部では、第１延出部３２の下端位置が、延出方向の端部における下端位置と比較して幾分上方に位置している。つまり、本シートＳにおいて、第１延出部３２は、その下端が延出方向中央部にて幾分嵩上げされた形状となっている。かかる形状をなした第１延出部３２を備えることにより、本シートＳが前部座席として利用され易くなる。
【００５２】
分かり易く説明すると、前部座席において下部メンバフレーム３１の下方に位置する空間には、後部座席の乗員の脚が入ることがある。このとき、下部メンバフレーム３１のうち、乗員の脚の上方に位置する第１延出部３２において、延出方向中央部の下端が延出方向端部の下端より上方に位置していれば、乗員の脚が下部メンバフレーム３１と干渉してしまうのを抑制することが可能となる。
その一方で、第１延出部３２の延出方向端部では、延出方向中央部に比して、上下に幅広となっており、これにより下部メンバフレーム３１の剛性が確保されている。
【００５３】
また、図２に示すように、上下方向における第１延出部３２の中央部には、前面から円弧状に隆起した隆起部３２ａ（換言すると、後面が円弧状に窪んだ部分）が形成されている。この隆起部３２ａは、いわゆる補強用ビードであり、第１延出部３２の延出方向に沿ってやや長めに形成されている。
【００５４】
また、図４や図６に示すように、第１延出部３２の上端部には、前側に折れ曲がった第１延出部上側フランジ３４が形成されている。この第１延出部上側フランジ３４は、第１延出部３２を補強するために第１延出部３２の延出方向一端から他端に亘って形成されている。
【００５５】
さらに、本シートＳでは、図６に示すように、第１延出部上側フランジ３４のうち、第１延出部３２の延出方向の端位置よりも若干中央寄りにある部位に、前述したメンバフレーム取り付け部１３ａの上端部に形成された後壁側フランジ１５（特に、同フランジ１５の幅方向の内側端部）が当接している。つまり、本シートＳでは、後壁側フランジ１５と第１延出部上側フランジ３４とがあたかも連続しているかのように、下部メンバフレーム３１がメンバフレーム取り付け部１３ａに取り付けられている。これにより、下部メンバフレーム３１とサイドフレーム１１との一体化が強まり、サイドフレーム１１において下部メンバフレーム３１が取り付けられる部位周辺の剛性がより一層向上する。
【００５６】
また、第１延出部３２の下端部には、前側に折れ曲がった第１延出部下側フランジ３５が第１延出部３２の延出方向一端から他端に亘って形成されている。これにより、下部メンバフレーム３１の剛性がより一層向上することになる。
【００５７】
第２延出部３３は、第１延出部３２と交差した状態で第１延出部３２の延出方向両端部と隣接しており、本シートＳでは、第１延出部３２と第２延出部３３との間の角度が約９０度となっている。換言すると、第２延出部３３の後端部は、第１延出部３２の延出方向端部とともに下部メンバフレーム３１の角部をなしている。
【００５８】
そして、本シートＳでは、図６に示す通り、下部メンバフレーム３１の角部がサイドフレーム１１の角部と重なるように下部メンバフレーム３１が前述のメンバフレーム取り付け部１３ａに取り付けられている。つまり、第２延出部３３は、幅方向においてサイドフレーム１１の側壁１２よりも内側に位置して側壁１２と重ねられている。より具体的に説明すると、第２延出部３３は、側壁１２の内側面１２ｂに当接した状態でレーザー溶接にて側壁１２に取り付けられている。
【００５９】
以上のように本シートＳでは、サイドフレーム１１の側壁１２の内側面１２ｂに当接した状態で下部メンバフレーム３１の第２延出部３３が配置されているため、サイドフレーム１１の側壁１２の剛性、特に幅方向に作用する荷重に対する剛性が向上し、サイドフレーム１１の内倒れが抑制される。すなわち、サイドフレーム１１の側壁１２よりも内側に第２延出部３３を重ねて配置することにより、サイドフレーム１１の内倒れが抑制される程度に剛性を向上させることが可能となる。
【００６０】
第２延出部３３の形状についてより詳しく説明すると、図６及び図７に示すように、第２延出部３３は、幅方向から見てＣ字状の形状となっている。つまり、本シートＳに備えられた第２延出部３３では、その中央部が円形状に打ち抜かれている。また、第２延出部３３の前端部についても、その下側半分の領域が、円形状の打ち抜き部分に連続する状態で切り欠かれている。これらの打ち抜きや切り欠きが施されることにより、第２延出部３３は、円形状の打ち抜き部分よりも上方に配置された上方部３６と、円形状の打ち抜き部分よりも下側に配置された下方部３７とを有する構成となっている。そして、上方部３６及び下方部３７は、いずれも、サイドフレーム１１の側壁１２の内側面１２ｂに当接した状態で側壁１２にレーザー溶接にて接合している。
【００６１】
一方、第２延出部３３において円形状に打ち抜かれた部分については、当然ながらサイドフレーム１１の側壁１２に接合されることがない。そして、本シートＳでは、側壁１２を挟んで上記円形状の打ち抜き部分とは反対側の位置にリクライニング機構３が配置されている。つまり、本シートＳにおいて、サイドフレーム１１の側壁１２において上記の円形状の打ち抜き部分が位置する領域は、リクライニング機構３が外側面１２ａに取り付けられている領域に相当する。
【００６２】
換言すると、本シートＳでは、サイドフレーム１１の側壁１２において第２延出部３３の上方部３６及び下方部３７が内側面１２ｂに当接している領域が、リクライニング機構３が外側面１２ａに取り付けられている領域から外れていることとなる。これは、前述したように、側壁１２においてリクライニング機構３が外側面に取り付けられている領域では、その内側面１２ｂに、レーザー溶接時の溶接痕としての凹凸が形成されている場合がある。かかる凹凸が形成された部位を避けて第２延出部３３を側壁１２の内側面１２ｂに取り付けるため、第２延出部３３を含む下部メンバフレーム３１が良好に取り付けられるようになる。
【００６３】
本シートＳでは、側壁１２においてリクライニング機構３が外側面１２ａに取り付けられている領域が、前述したように、幅方向から見ると円形状になっている。一方、当該円形の領域Ｍに合わせるように、下部メンバフレーム３１の第２延出部３３の中央部が円形状に打ち抜かれている。そして、本シートＳでは、上述した円形の領域Ｍの外縁と、第２延出部３３における円形状の打ち抜き部分の内縁とが一致するように、第２延出部３３が側壁１２に接合されている。
【００６４】
つまり、本シートＳでは、側壁１２において第２延出部３３が内側面１２ｂに当接している領域が、幅方向から見て、上述した円形の領域Ｍの外縁に沿っているＣ字状の領域となっている。より具体的に説明すると、第２延出部３３の上方部３６では、図６及び７に示すように、その前後方向中央部分のうち、下側に位置する部分が半円状に切り欠かれている。そして、この切り欠きの縁と、上述した円形の領域Ｍの外縁の上方部分に沿うように第２延出部３３が側壁１２に取り付けられている。換言すると、上方部３６は、第２延出部３３のうち、上述した円形の領域Ｍよりも上方に配置された部分である。
【００６５】
一方、第２延出部３３の下方部３７は、図６及び７に示すように、前方に向かって円弧状に延出している。そして、当該下方部３７が上述した円形の領域Ｍの外縁の下方部分に沿うように第２延出部３３が側壁１２に取り付けられている。換言すると、下方部３７は、第２延出部３３のうち、上述した円形の領域Ｍよりも下方に配置された部分であり、当該円形の領域Ｍの外縁に沿って円弧状に延出している。
【００６６】
以上のように、本シートＳでは、第２延出部３３が、幅方向から見て、上述した円形の領域Ｍ（サイドフレーム１１の側壁１２においてリクライニング機構３が取り付けられている領域）の外縁に沿ったＣ字状の形状となっている。そして、当該円形の領域Ｍと第２延出部３３における円形状の打ち抜き部分とが一致するように、第２延出部３３が側壁１２に接合されている。逆に言えば、第２延出部３３を側壁１２に接合させる際には、上述した円形の領域Ｍと第２延出部３３における円形状の打ち抜き部分とを一致させればよい。これにより、サイドフレーム１１の側壁１２においてリクライニング機構３が取り付けられている部分を避けて下部メンバフレーム３１を取り付ける作業が、容易に行われるようになる。
【００６７】
特に、本シートＳのシートバックフレームＦ１を組み立てる際には、先ず、サイドフレーム１１の側壁１２にリクライニング機構３をレーザー溶接にて取り付けておき、その後に下部メンバフレーム３１をサイドフレーム１１に取り付ける。このような組み立て手順にてシートバックフレームＦ１を組み立てるにあたり、上述した円形の領域Ｍと第２延出部３３における円形状の打ち抜き部分とが一致していれば、サイドフレーム１１の側壁１２におけるリクライニング機構３の取り付け部分を避けて下部メンバフレーム３１を取り付けることが、より容易になる。つまり、上記の組み立て手順にてシートバックフレームＦ１を組み立てる場合には、上述した円形の領域Ｍの外縁に沿うように第２延出部３３の中央部を円状に打ち抜く構成がより効果的なものとなる。
【００６８】
なお、本シートＳでは、第２延出部３３が側壁１２に接合された状態において、第２延出部３３の下方部３７が、貫通軸３ｂの後方から貫通軸３ｂの前方に回り込むように円弧状に延出している。同様に、第２延出部３３の上方部３６も、貫通軸３ｂの後方から貫通軸３ｂの前方に至るように延出している。このような構成により、サイドフレーム１１の側壁１２におけるリクライニング機構３の取り付け部分を避けつつ、さらに貫通軸３ｂとの干渉を回避した状態で下部メンバフレーム３１をサイドフレーム１１の側壁１２に取り付けることが可能となる。また、サイドフレーム１１の側壁１２のうち、下部メンバフレーム３１を取り付けることによって剛性が向上した部分が、前後方向に沿って延びるため、幅方向に作用する荷重に対するサイドフレーム１１の剛性が一層向上することになる。
【００６９】
また、本シートＳでは、前述したように、第２延出部３３の上方部３６及び下方部３７がそれぞれサイドフレーム１１の側壁１２にレーザー溶接されている。そして、本シートＳでは、図７に示すように、上方部３６と側壁１２との溶接領域Ｘ１は、当該溶接領域Ｘ１の一部が貫通軸３ｂよりも前方に位置するように、前後方向に円弧状に延びている。同様に、下方部３７と側壁１２との溶接領域Ｘ２は、当該溶接領域Ｘ２の一部が貫通軸３ｂよりも後方に位置するように、前後方向に円弧状に延びている。
【００７０】
以上のように、本シートＳでは、各溶接領域Ｘ１，Ｘ２が前後方向において幾分の長さを有する領域となっているので、第２延出部３３の上方部３６及び下方部３７の各々がサイドフレーム１１の側壁１２に対して良好に固定されている。さらに、各溶接領域Ｘ１，Ｘ２が前後方向に延びているので、前後方向に作用する荷重に対する強度を確保することが可能となる。これにより、前後方向の荷重がサイドフレーム１１や下部メンバフレーム３１に作用したとしても、溶接領域Ｘ１，Ｘ２における剥離を抑制して、下部メンバフレーム３１の第２延出部３３とサイドフレーム１１の側壁１２との接合状態を安定的に保持することが可能となる。
【００７１】
なお、本シートＳでは、上方部３６と側壁１２との溶接領域Ｘ１は、貫通軸３ｂを中心とした円周の約１／３に相当する円弧状の領域であり、下方部３７と側壁１２との溶接領域Ｘ２は、上記円周の約１／６に相当する円弧状の領域である。さらに、両溶接領域Ｘ１，Ｘ２は、互いに離間している。このように両溶接領域Ｘ１，Ｘ２が、貫通軸３ｂを中心として円周１周分に満たず、かつ、互いに離間している。このため、シートバックフレームＦ１の組み立て時には、貫通軸３ｂを中心とした円周１周分を連続してレーザー溶接する場合に比して、より容易に溶接作業が行われることになる。
【００７２】
ところで、図４及び図６に示す通り、第２延出部３３の上方部３６及び下方部３７には、それぞれ、幅方向内側に折れ曲がったフランジが形成されている。具体的に説明すると、第２延出部３３の上方部３６には、上端部が幅方向内側に折れ曲がった第２延出部上側フランジ３８が形成されている。この第２延出部上側フランジ３８は、折れ曲がり部に相当し、第２延出部３３を補強するために上方部３６の前端から後端に亘って形成されている。
【００７３】
以上のように、第２延出部３３の上方部３６の上端部に補強用のフランジ３８が形成されていることで下部メンバフレーム３１自体の剛性が高まる結果、同フレーム３１が取り付けられたサイドフレーム１１についても剛性が向上することになる。
なお、図４に示すように、第２延出部上側フランジ３８は、その後端部にて、第１延出部３２の上端部に形成された第１延出部上側フランジ３４と連続している。これにより、下部メンバフレーム３１全体の剛性がより向上している。
【００７４】
一方、図４及び図６に示すように、第２延出部３３の下方部３７には、下端部が幅方向内側に折れ曲がった第２延出部下側フランジ３９が形成されている。この第２延出部下側フランジ３９は、第２延出部側折れ曲がり部に相当し、第２延出部３３を補強するために下方部３７の前端から後端に亘って形成されている。ここで、前述したように、下方部３７は、貫通軸３ｂの後側から前側に回り込むように円弧状に延出しているため、第２延出部下側フランジ３９も円弧状に延出している。
【００７５】
そして、本シートＳでは、図６に示す通り、第２延出部３３が側壁１２に接合された状態において、第２延出部下側フランジ３９の前端部が、前述したサイドフレーム１１の側壁１２に形成された側壁側フランジ１４のうち、側壁１２の下端位置で円弧状に延びている後端部と上下方向に重なっている。
【００７６】
より具体的に説明すると、第２延出部３３の下方部３７は、第２延出部下側フランジ３９が側壁側フランジ１４に沿い、かつ、第２延出部下側フランジ３９の前端部が側壁側フランジ１４の後端部と重なるように延出している。つまり、本シートＳでは、第２延出部下側フランジ３９と側壁側フランジ１４とがあたかも連続しているかのように、下部メンバフレーム３１がサイドフレーム１１に取り付けられている。これにより、下部メンバフレーム３１とサイドフレーム１１、特に側壁１２の下端部との一体化が強まり、サイドフレーム１１において下部メンバフレーム３１が取り付けられる部位周辺の剛性がより一層向上する。
【００７７】
さらに、図４に示すように、第２延出部下側フランジ３９は、その後端部にて、第１延出部３２の下端部に形成された第１延出部下側フランジ３５と連結している。これにより、下部メンバフレーム３１全体の剛性がより一層向上している。
【００７８】
以上の実施形態では、本発明に係る車両用シートのシートフレームの構成例について説明してきたが、上述の実施形態は、本発明の理解を容易にするための一例に過ぎず、本発明を限定するものではない。すなわち、以上までに説明してきた部材の形状、寸法、配置等については、本発明の趣旨を逸脱することなく、変更、改良され得ると共に、本発明にはその等価物が含まれることは勿論である。
【００７９】
また、上述の実施形態では、サイドフレーム１１の側壁１２において下部メンバフレーム３１の第２延出部３３が内側面１２ｂに当接していることとした。一方、側壁１２においてリクライニング機構３が外側面１２ａに取り付けられている領域は、幅方向から見て円形の領域Ｍになっていることとした。そして、側壁１２において第２延出部３３が内側面１２ｂに当接している領域は、幅方向から見て、上述した円形の領域Ｍの外縁に沿っているＣ字状の領域となっていることとした。つまり、第２延出部３３は、上述した円形の領域Ｍより上方に配置された上方部３６と、円形の領域Ｍより下方に配置された下方部３７とを有することとした。しかし、これに限定されるものではなく、第２延出部３３が、上記の上方部３６及び下方部３７のうち、いずれか一方に相当する部分のみを有している構成であってもよい。
【００８０】
また、上述の実施形態では、上方部３６及び下方部３７の各々に補強用のフランジ（第２延出部上側フランジ３８、及び第２延出部下側フランジ３９）が形成されていることとしたが、これに限定されるものではなく、補強用のフランジが形成されていない構成であってもよい。
【符号の説明】
【００８１】
Ｓ  本シート
Ｓ１  シートバック、Ｓ２  シートクッション、Ｓ３  ヘッドレスト
Ｓ３ａ  ピラー
Ｆ  本フレーム
Ｆ１  シートバックフレーム、Ｆ２  シートクッションフレーム
ｆｓ  ガイドステー
Ｒ  スライドレール機構、Ｒｕ  アッパレール、Ｒｘ  支持部
Ｍ  円形の領域
Ｘ１，Ｘ２  溶接領域
１  側部フレーム
３  リクライニング機構
３ａ  リクライニング機構本体、３ｂ  貫通軸
４  ハイト調整機構、５  操作レバー、６  回動リンク
７ａ  セクターギア、７ｂ  ピニオンギア
１１  サイドフレーム、１２  側壁
１２ａ  外側面、１２ｂ  内側面、１２ｃ  穴
１３  後壁、１３ａ  メンバフレーム取り付け部
１４  側壁側フランジ、１５  後壁側フランジ
２１  上部フレーム、２２  折り曲げ加工部
２３  上部メンバフレーム
３１  下部メンバフレーム
３２  第１延出部、３２ａ  隆起部、３２ｂ  穴
３３  第２延出部
３４  第１延出部上側フランジ、３５  第１延出部下側フランジ
３６  上方部、３７  下方部
３８  第２延出部上側フランジ、３９  第２延出部下側フランジ
【図１】
2014033929.tif 000003
【図２】
2014033929.tif 000004
【図３】
2014033929.tif 000005
【図４】
2014033929.tif 000006
【図５】
2014033929.tif 000007
【図６】
2014033929.tif 000008
【図７】
2014033929.tif 000009
【図８】
2014033929.tif 000010
【図９】
2014033929.tif 000011
【手続補正書】
【提出日】平成27年2月27日(2015.2.27)
【手続補正１】
【補正対象書類名】明細書
【補正対象項目名】００３６
【補正方法】変更
【補正の内容】
【００３６】
次に、本フレームＦのうち、シートバックフレームＦ１について詳細に説明する。
シートバックフレームＦ１は、図２及び３に示すように、幅方向の両端部に配置されたサイドフレーム１１と、サイドフレーム１１の上端部同士を連結する上部フレーム２１と、サイドフレーム１１の下端部同士を連結する連結フレームとしての下部メンバフレーム３１とを有する。
【手続補正２】
【補正対象書類名】明細書
【補正対象項目名】００５３
【補正方法】変更
【補正の内容】
【００５３】
また、図３に示すように、上下方向における第１延出部３２の中央部には、前面から円弧状に隆起した隆起部３２ａ（換言すると、後面が円弧状に窪んだ部分）が形成されている。この隆起部３２ａは、いわゆる補強用ビードであり、第１延出部３２の延出方向に沿ってやや長めに形成されている。
【国際調査報告】
2014033929.tif 000012
2014033929.tif 000013
2014033929.tif 000014
2014033929.tif 000015